(57)【要約】【課題】剛性が高く強固で物品の搬入出が容易な折り畳み式ラックを提供する。【解決手段】パレット部１１０上に対向配置される一対の固定枠１５０の両側の支柱の内側に、棒状部材を回動可能に受け入れる受け部１５５、１５６を形成しておき、これに差込部２０３、２０５を有する差込枠２０を差し込むことによりラックを組み立てる。差込枠２０は、スチールパイプを柵状に形成し２本の連結支柱２０１が一体化したもので、その連結支柱の両端部に差込部２０３、２０５が形成されているので、がたつきが略無く剛性が高く強度の高いラックが構成される。差込部２０３、２０５の長さを変えておくことにより、差込枠２０は扉状に開閉可能になり、物品の搬入出も容易となる。【選択図】  図１
2010105691.tif 000002
【特許請求の範囲】
【請求項１】
所望の物品を収容する折り畳み式ラックであって、
基材と、前記基材の上面に対向配置される１対の固定枠と、前記固定枠の各々を前記基材の上面に傾倒可能な状態で保持する保持部材とを有するラック本体と、
前記対向配置される一対の固定枠の対向する側辺間を連結する差込枠とを有し、
前記差込枠は、各々両端部が差込部に形成された２本以上の連結支柱を有し、
前記固定枠は、前記差込部が差し込まれる差込枠受け部を有し、
前記連結支柱の両端部の前記差込部が、前記対向配置される前記固定枠の前記差込枠受け部に差し込まれることにより、前記対向配置される一対の固定枠が連結されることを特徴とする折り畳み式ラック。
【請求項２】
前記差込枠の一方の端部の前記差込部と、他方の端部の前記差込部とは、差し込まれる部分の長さが異なることを特徴とする請求項１に記載の折り畳み式ラック。
【請求項３】
前記固定枠及び前記差込枠の少なくともいずれか一方は、柵状に形成されており、当該柵状に構成された部材により前記所望の物品を収容する空間の周囲が規定されていることを特徴とする請求項１又は２に記載の折り畳み式ラック。
【請求項４】
前記固定枠及び前記差込枠の少なくともいずれか一方は、部分的に又は全面的に板面形態に形成されており、当該板面形態に構成された部分を有する部材により前記所望の物品を収容する空間の周囲が規定されていることを特徴とする請求項１又は２に記載の折り畳み式ラック。
【発明の詳細な説明】
【技術分野】
【０００１】
本発明は、所望の物品を収容、あるいは所望の物品を収容した箱やケース等を一括的に搬送等が可能なように収容するラックであって、特に、不使用時には折り畳んで保管や回送することが可能な折り畳み式ラックに関する。
【背景技術】
【０００２】
従来、この種の折り畳み式ラックとしては、例えば、特許文献１に開示されているようなロール製品用ラックが開示されている。このロール製品用ラックにおいては、対向して配置される枠部材及び支柱の間を、上部に水平に配設される連結棒、及び、中間部に傾斜して配設される連結棒により立設位置に維持し、これにより内部に物品(ロール製品）の収容空間を確保し、物品の搬送等を行うものである。このラックにおいては、中間部に傾斜して連結棒を配設することで、ラック全体の強度や剛性を増加させている。また、不使用時には折り畳んで段積みすることができ、ラックの回送等を効率よく行うことができるようになっている。
【特許文献１】特開２００８−５６３０４号公報
【発明の開示】
【発明が解決しようとする課題】
【０００３】
しかしながら、前述した従来の折り畳み式ラックにおいても、折り畳み可能な枠部材を連結しているのは上部及び中間部に配設された片側２本の連結棒のみであり、また、これらは各々別部材であるがために各々が設置箇所において遊びを有する部材であり、ラック全体の剛性を高めるためには限界があった。そこで、より一層、剛性が高く、強度の高い折り畳み式ラックが要望されている。
【０００４】
また、前述した従来の折り畳み式ラックは収容物をロール製品に特化したラックであるがために使用形態にある程度制限が生じても大きな課題とならないが、このような形態のラックを、汎用的に所望の物品を収容するラックに適用する場合、すなわち、種々の所望の物品や、そのような物品を収容した箱やケース等を収容し搬送等をすることを目的とする汎用的なラックに適用する場合には、中間部に傾斜して配設されている連結棒を含むこれらの構造が収容物の搬入出の際の障害となり、効率よく収容物の搬入出ができない可能性があるという問題があった。
【０００５】
本発明はこのような課題に鑑みてなされたものであって、その目的は、がたつきが無く、すなわち剛性が高く強固で、従って収容物を安全に搬送等することができ、また、物品の搬入出が容易に行え、物品の搬送作業等を効率よく行うことのできる折り畳み式ラックを提供することにある。
【課題を解決するための手段】
【０００６】
前記課題を解決するために、本発明の折り畳み式ラックは、所望の物品を収容する折り畳み式ラックであって、基材と、前記基材の上面に対向配置される１対の固定枠と、前記固定枠の各々を前記基材の上面に傾倒可能な状態で保持する保持部材とを有するラック本体と、前記対向配置される一対の固定枠の対向する側辺間を連結する差込枠とを有し、前記差込枠は、各々両端部が差込部に形成された２本以上の連結支柱を有し、前記固定枠は、前記差込部が差し込まれる差込枠受け部を有し、前記連結支柱の両端部の前記差込部が、前記対向配置される前記固定枠の前記差込枠受け部に差し込まれることにより、前記対向配置される一対の固定枠が連結されることを特徴とする。
【０００７】
好適には、前記差込枠の一方の端部の前記差込部と、他方の端部の前記差込部とは、差し込まれる部分の長さが異なることを特徴とする。
【０００８】
また好適には、前記固定枠及び前記差込枠の少なくともいずれか一方は、柵状に形成されており、当該柵状に構成された部材により前記所望の物品を収容する空間の周囲が規定されていることを特徴とする。
【０００９】
また好適には、前記固定枠及び前記差込枠の少なくともいずれか一方は、部分的に又は全面的に板面形態に形成されており、当該板面形態に構成された部分を有する部材により前記所望の物品を収容する空間の周囲が規定されていることを特徴とする。
【発明の効果】
【００１０】
本発明によれば、がたつきが無く、すなわち剛性が高く強固で、従って収容物を安全に搬送等することができ、また、物品の搬入出が容易に行え、物品の搬送作業等を効率よく行うことのできる折り畳み式ラックを提供することができる。
【発明を実施するための最良の形態】
【００１１】
本発明の一実施形態の折り畳み式ラックについて、図１〜図５を参照して説明する。
図１は、本実施形態の折り畳み式ラック１の全体構成を示す斜視図である。
図１に示すように、折り畳み式ラック１は、ラック本体１０と、２枚の差込枠２０を有する。
ラック本体１０は、パレット部（基材）１１０、コーナー金具(保持部材）１２０、段積み金具１３０、床板１４０及び固定枠１５０を有し、これらが一体化されたものである。
【００１２】
ラック本体１０のパレット部１１０は、折り畳み式ラック１の最下部を構成する支持部であり、折り畳み式ラック１の搬送台である。本実施形態においてパレット部１１０は、スチール製の角パイプ（断面矩形の筒状部材）が溶接等により接合されて形成されている。パレット部１１０の側面にはフォークリフトの爪部が差し込まれるリフト用孔１１１が形成されている。
【００１３】
コーナー金具１２０は、パレット部１１０の４隅部に接合される断面Ｌ字状の支柱である。
コーナー金具１２０は、固定枠１５０を移動可能、回動可能に支持する。コーナー金具１２０は、パレット部１１０の４隅に各々立設されているが、パレット部１１０の上面に対向配置される２枚の固定枠１５０を各々その両側に立設される２本のコーナー金具１２０により、移動可能、回動可能に挟持する。
【００１４】
各コーナー金具１２０は、１枚の板状部材を折り曲げることにより、あるいは、２枚の板状部材を接合することにより、２枚の板面が直交するように配置され、断面Ｌ字の柱状に形成された部材である。各コーナー金具１２０の一方の板面であって、１枚の固定枠１５０を挟持する２つのコーナー金具１２０の相互に対向する面、すなわち、固定枠１５０の左右両側面に接する面には、固定枠１５０の両側面下部に外側に突出するように形成された突起部１５１が嵌入されるレール１２１が形成されている。各固定枠１５０の両側面下部の突起部１５１が両側のコーナー金具１２０のレール１２１に嵌入されることにより、固定枠１５０の下辺部はレール１２１に沿って移動可能な状態となり、また、固定枠１５０は突起部１５１の位置を回転軸として回動可能となり、固定枠１５０はコーナー金具１２０から離脱不能でラック本体１０に一体化された状態となる。
【００１５】
各コーナー金具１２０のレール１２１が形成されていない方の板面は、すなわち、固定枠１５０の正面の枠部に接する面は、固定枠１５０が立設されて折り畳み式ラック１が組み立てられるときに固定枠１５０の外側方向への回動を規制する。これにより、折り畳み式ラック１を組み立てるときには、固定枠１５０はパレット部１１０の上面に垂直な状態に立設される。
【００１６】
また、コーナー金具１２０は、折り畳み式ラック１を折り畳んで段積みする際に、その支柱となる。コーナー金具１２０の下部には、コーナー金具１２０の上面と嵌合する段積み金具１３０が配設されており、折り畳んだ折り畳み式ラック１を順次段積みする際には、上に積載される折り畳み式ラック１の段積み金具１３０が下に載置される折り畳み式ラック１のコーナー金具１２０の上部に順次嵌合されて段積みされる。
【００１７】
段積み金具１３０は、上述したように、コーナー金具１２０の上部が嵌合される凹部が下面に形成され受け部材であり、折り畳み式ラック１のパレット部１１０の４隅の各下部であって、４個のコーナー金具１２０の各下部に配設される。折り畳み式ラック１を折り畳んで段積みする際には、下に載置される折り畳み式ラック１のコーナー金具１２０の上部に段積み金具１３０を嵌合させるように上に折り畳み式ラック１を順次積載していく。これにより、折り畳み式ラック１を多段に段積みしたとしても、折り畳み式ラック１がずれることを防止することができ、折り畳み式ラック１を折り畳んだ状態で安全に、また、取り扱いが容易な状態で搬送等をすることができる。
【００１８】
床板１４０は、パレット部１１０の上面に配設され、折り畳み式ラック１の荷物の収容空間の下面を規定する。すなわち、床板１４０上に所望の荷物が載置される。本実施形態において、床板１４０は、スチール製の板部材であり、パレット部１１０の上面に溶接により接合されている。
【００１９】
固定枠１５０は、後述する差込枠２０とともに、折り畳み式ラック１の収容空間の側面を規定する。すなわち、差込枠２０とともにパレット部１１０の上面の周囲を囲むように設置されることにより、内部に所望の荷物を収容する。固定枠１５０は、パレット部１１０の上面の一組の対辺上に、２枚が対向に配置される。
【００２０】
図２は、固定枠１５０の正面図であり、固定枠１５０を折り畳み式ラック１の内側から見た図である。
固定枠１５０は、スチール製の角パイプ（断面矩形の筒状部材）が溶接等により接合されて図示のごとく柵状に形成された部材である。
【００２１】
固定枠１５０の両側面の下部には、外側に突出するように突起部１５１が形成されている。突起部１５１は、前述したように、固定枠１５０の両側に配設されるコーナー金具１２０のレール１２１に嵌入される。これにより、固定枠１５０の下辺部はレール１２１に沿って移動可能な状態となり、また、固定枠１５０は突起部１５１の位置を回転軸として回動可能となる。また、固定枠１５０はコーナー金具１２０から離脱不能でラック本体１０に一体化された状態となる。
【００２２】
固定枠１５０の下辺部、すなわち突起部１５１は、固定枠１５０がパレット部１１０上に立設されて折り畳み式ラック１が組み立てられたときには、レール１２１の最下部に位置する。また、固定枠１５０がパレット部１１０の上方向に傾倒されて折り畳み式ラック１が折り畳まれたときには、パレット部１１０上に順に載置される差込枠２０の高さ（厚み）、あるいは、差込枠２０と他方の固定枠１５０の高さ（厚み）に相当する分だけ、レール１２１に沿って上方に移動することとなる。このように固定枠１５０の下辺部がレール１２１に沿って所定の範囲で垂直方向に移動可能なので、折り畳み式ラック１を折り畳むときに、傾倒した固定枠１５０の下に差込枠２０等を載置したとしても、固定枠１５０はパレット部１１０上に水平に折り畳めることとなる。
【００２３】
また、固定枠１５０の回動は、固定枠１５０の突起部１５１を回転軸として、パレット部１１０の上面に対して垂直な方向から、パレット部１１０の上面に傾倒する方向でパレット部１１０の上面に略平行な方向までの範囲で可能となる。固定枠１５０のパレット部１１０の上面に対して垂直な方向からさらに外側への回動は、コーナー金具１２０のレール１２１が形成されていない方の板面により規制される。
【００２４】
固定枠１５０の両側の支柱１５３、１５４のラック内部側の面には、差込枠２０の差込部２０３、２０５を受け入れる、すなわち差込部２０３、２０５が差し込まれる第１の差込枠受け部１５５及び第２の差込枠受け部１５６が設置されている。
第１の差込枠受け部１５５は、固定枠１５０の一方の側辺部の支柱１５３のラック内部側の面の上部及び下部の２箇所に形成されており、第２の差込枠受け部１５６は、固定枠１５０の他方の側辺部の支柱１５４のラック内部側の面の上部及び下部の２箇所に形成されている。
【００２５】
第１の差込枠受け部１５５と第２の差込枠受け部１５６の上部側の差込枠受け部の上端面は、固定枠１５０の高さ方向において同じ高さに配置され、また、第１の差込枠受け部１５５と第２の差込枠受け部１５６の下部側の差込枠受け部の上端面も、固定枠１５０の高さ方向において同じ高さに配置される。これら第１及び第２の差込枠受け部１５５、１５６の各上端面の位置は、折り畳み式ラック１を組み立てたときに、対向配置される固定枠１５０の間に配設される差込枠２０の上下に２本具備される連結支柱２０１の位置を規定するものとなる。従って、これら差込枠受け部１５５、１５６の各々の上部差込枠受け部１５５、１５６と下部差込枠受け部１５５、１５６との間隔は、差込枠２０の２本の連結支柱２０１の間隔に相当する。
【００２６】
後述するように、差込枠２０において連結支柱２０１の両端に形成される差込部２０３と差込部２０５とは、その長さが異なる。本実施形態において、第１の差込枠受け部１５５及び第２の差込枠受け部１５６の長さは、各々、差し込まれる第１の差込部２０３あるいは第２の差込部２０５の長さに対応した長さ、すなわち、第１の差込部２０３あるいは第２の差込部２０５がちょうど収容される長さとする。本実施形態においては、そして、第２の差込枠受け部１５６より第１の差込枠受け部１５５の方が長さが長く形成されている。
【００２７】
なお、第１の差込枠受け部１５５及び第２の差込枠受け部１５６の機能については、差込枠２０の説明の際に詳細に説明をする。
【００２８】
差込枠２０は、前述した固定枠１５０とともに、折り畳み式ラック１の収容空間の側面を規定する。すなわち、対向配置される２枚の固定枠１５０の対向する側辺同士を各々連結するように２枚の差込枠２０がラック本体１０に装着されることにより、折り畳み式ラック１は、内部に荷物を収容可能な組み立て状態とされる。
【００２９】
図３は、差込枠２０の正面図であり、図４は、差込枠２０をラック本体１０に設置した場合の使用形態を模式的に示す図である。
差込枠２０は、各々が水平に配設される上下２本の連結支柱２０１と、この２本の連結支柱２０１を所定間隔で連結する垂直方向の支柱２１１とを有し、全体として図示のごとく柵状に形成された部材である。
差込枠２０は、固定枠１５０と同様に、スチール製の円筒状パイプ（断面円形の筒状部材）が溶接等により接合されて形成される。
【００３０】
２本の連結支柱２０１の両端には、連結支柱２０１と直交し、下方（差込枠２０をラック本体１０に装着した場合に鉛直方向下向きとなる方向）に延伸する第１の差込部２０３及び第２の差込部２０５が形成されている。
折り畳み式ラック１を使用するときには、この第１の差込部２０３及び第２の差込部２０５を、図４（Ａ）に示すように、対向配置される固定枠１５０の第１の差込枠受け部１５５及び第２の差込枠受け部１５６に各々差し込むことにより、２枚の固定枠１５０の対向する側辺同士が２枚の差込枠２０により各々連結され、折り畳み式ラック１が組み立てられる。
また、折り畳み式ラック１を折り畳むときには、差込枠２０を持ち上げて差込枠２０の第１の差込部２０３及び第２の差込部２０５を固定枠１５０の第１の差込枠受け部１５５及び第２の差込枠受け部１５６から各々離脱させることにより、差込枠２０はラック本体１０から分離され、また、ラック本体１０においては固定枠１５０が折り畳み可能な状態となる。
【００３１】
また、本実施形態においては、第２の差込部２０５は第１の差込部２０３よりも短く形成されている。このような構成においては、第２の差込部２０５の第２の差込枠受け部１５６への差し込みが外れる程度に差込枠２０を持ち上げた状態では、図４（Ｂ）に示すように、第１の差込部２０３が第１の差込枠受け部１５５へ差し込まれた状態は維持されることになる。従って、この状態で差込枠２０の第２の差込部２０５側の位置をわずかにずらせば、第１の差込部２０３が第２の差込枠受け部１５６に差し込まれているままの状態で、第２の差込部２０５の第２の差込枠受け部１５６への差し込みを解除することができる。そして、差込枠２０の第１の差込部２０３側の側辺部のみがラック本体１０に保持された状態においては、差込枠２０は第１の差込部２０３を回転中心として容易に回動可能な状態となり、差込枠２０は、折り畳み式ラック１の開閉扉のような状態となる。すなわち、このような状態とすることにより、折り畳み式ラック１への荷物の搬入出を、差込枠２０の面から容易に行うことが可能となる。
【００３２】
このような構成の折り畳み式ラック１の使用形態について説明する。
折り畳み式ラック１を使用するときには、ラック本体１０の２枚の固定枠１５０を各々引き起こし、パレット部１１０の対向する縁辺上に対向して立設した状態とする。
【００３３】
次いで、対向配置される２枚の固定枠１５０の対向する側辺の間に、各々、差込枠２０を装着する。差込枠２０の装着は、差込枠２０を固定枠１５０の間に上部から落とし込み、差込枠２０の第１の差込部２０３及び第２の差込部２０５を、各々、固定枠１５０の第１の差込枠受け部１５５及び第２の差込枠受け部１５６に差し込むことにより行う。これにより、対向する固定枠１５０は図４（Ａ）に示すように差込枠２０により連結された状態となり、がたつきの無い頑丈な折り畳み式ラック１が形成される。
【００３４】
このように組み立てられた折り畳み式ラック１に物品を搬入出するときには、差込枠２０をわずかに持ち上げて、図４（Ｂ）に示すように、差込枠２０の第２の差込部２０５の第２の差込枠受け部１５６への差し込みが外れる程度に、差込枠２０をわずかに持ち上げて、第２の差込部２０５側の端部の位置をわずかにずらす。第２の差込部２０５側の端部の位置をわずかにずらして、第２の差込部２０５の第２の差込枠受け部１５６への差し込みを解除した後は、差込枠２０を再度落とし込んでよい。すなわち、差込枠２０を持ち上げた状態を解除してよい。その結果、差込枠２０は、第１の差込部２０３が第１の差込枠受け部１５５に差し込まれていることによりラック本体１０に片持ち状態に維持され、第１の差込部２０３の位置を回転中心として回動自在な状態となる。すなわち、差込枠２０は、折り畳み式ラック１の収容空間に対する扉に相当する状態となる。従って、この状態であれば、折り畳み式ラック１の内部に容易に物品を搬入し、また、搬出することが容易に行える。
【００３５】
なお、差込枠２０を持ち上げて、第２の差込部２０５の第２の差込枠受け部１５６への差し込みを解除した後に、差込枠２０をずらす方向は、折り畳み式ラック１の内部側あるいは外部側のどちらでもよいし、また、どちらにも可能である。すなわち、このずらし方によって、差込枠２０を、いわゆる内開きの扉の状態に回動することも可能であるし、いわゆる外開きの状態に回動することも可能である。物品の収容、搬出を行うにあたっては、差込枠２０を外部側にずらし、いわゆる外開きの状態に回動することが好ましい。
【００３６】
物品の収容が終了して、折り畳み式ラック１により物品を搬送等するときには、差込枠２０を再度持ち上げて、第２の差込部２０５を第２の差込枠受け部１５６に差し込む。これにより、２枚の固定枠１５０と２枚の差込枠２０とは再度がたつきの無い状態で強固に連結され、収容物を安全に搬送等することができる。
【００３７】
収容物の搬送が終了して折り畳み式ラック１を折り畳むときには、差込枠２０を完全に持ち上げて、ラック本体１０から分離する。２枚の差込枠２０を分離することにより、ラック本体１０の固定枠１５０は内側に傾倒可能になる。従って、例えばパレット部１１０の上に分離した差込枠２０を載置する等して、その上に、２枚の固定枠１５０を順次傾倒することにより、折り畳み式ラック１は折り畳まれた状態となる。
【００３８】
このように折り畳んだ折り畳み式ラック１は、段積み金具１３０をコーナー金具１２０の上部に嵌合させるように順次重ねることにより、図５に示すように段積みすることが可能となる。
その結果、折り畳み式ラック１の回送が容易に効率よく行えることになる。
【００３９】
このように、本実施形態の折り畳み式ラック１においては、対向配置される２枚の固定枠１５０を、２本の連結支柱２０１を有する差込枠２０により連結している。従って、折り畳み式ラック１を組み立てたときに、固定枠１５０のがたつきを略完全になくすことができ、剛性が高く強固な折り畳み式ラック１を実現できる。
また、その結果、収容物をより安全に搬送等することのできる折り畳み式ラック１を提供することができる。
【００４０】
また、折り畳み式ラック１においては、差込枠２０の両側の差込部２０３、２０５の長さを変えることにより、差込枠２０を片持ち状態に維持して扉状に開閉することができる。従って、折り畳み式ラック１の内部に対する物品の搬入出が容易に行え、物品の搬送作業等の効率を向上させることができる。
【００４１】
また、折り畳むときには、固定枠１５０を折り畳むことにより容積を大幅に小さくすることができ、また段積みも安全かつ容易に行える。従って、折り畳み式ラック１の回送等を容易かつ効率よく行うことができる。
【００４２】
なお、前述した実施形態は、本発明の理解を容易にするために記載されたものであって本発明を何ら限定するものではない。本実施形態に開示された各要素は、本発明の技術的範囲に属する全ての設計変更や均等物をも含み、また任意好適な種々の改変が可能である。
【００４３】
例えば、前述した実施形態においては、固定枠１５０及び差込枠２０は、いずれも、スチール製のパイプを柵状に配置して構成したものであった。しかしながら、固定枠１５０及び差込枠２０の構成はこれに限るものではなく、連結が可能で、収容した物品のラック内部への保持が可能な形態であれば、任意の形態としてよい。
具体的には、例えば、固定枠１５０及び差込枠２０に面部材１５９及び２１０を用いた構成としてもよい。そのような構成の折り畳み式ラック１ｂの全体概略図を図６に、また、差込枠２０ｂの正面図を図７に示す。このような構成とすることにより、収容物をより安全に搬送等することが可能で、また、折り畳み式ラック１全体の剛性をより高めてがたつきを少なくすることも可能であり、必要に応じてこのような構成としてよい。
なお、面部材１５９及び２１０としては、例えばスチール板が好ましい。
【００４４】
また、固定枠１５０ｂ及び差込枠２０ｂにおいて面部材１５９及び２１０を適用する範囲は、図６及び図７のような固定枠１５０ｂ及び差込枠２０ｂの一部に適用するものではなく、固定枠１５０ｂ及び差込枠２０ｂの全面に適用するような形態でもよい。そのような構成であれば、折り畳み式ラック１の内部の閉塞性を高めることができる。必要に応じてそのような構成としてもよい。
【００４５】
また、前述した実施形態において、差込枠２０には２本の連結支柱２０１を有するものとしたが、これは２本に限られるものではなく、３本以上でもよい。
【００４６】
また、前述した実施形態において、第１の差込枠受け部１５５及び第２の差込枠受け部１５６の長さは、本実施形態のように差し込まれる差込部２０３、２０５の長さに対応して変えなくてもよく、また、各差込部２０３及び２０５がちょうど収容される長さにしなければならないものでもない。差込枠２０の差込部２０３及び２０５が差し込まれて保持されるものであれば、任意の長さの差込枠受け部１５５、１５６でよい。
【図面の簡単な説明】
【００４７】
【図１】図１は、本発明の一実施形態の折り畳み式ラックの全体構成を示す斜視図である。
【図２】図２は、図１に示した折り畳み式ラックの固定枠の正面図である。
【図３】図３は、図１に示した折り畳み式ラックの差込枠の正面図である。
【図４】図４は、図１に示した折り畳み式ラックにおける差込枠と固定枠との差し込み状態及び差込枠の機能を説明するための図である。
【図５】図５は、図１に示した折り畳み式ラックを折り畳んだ状態で段積みした状態を示す図である。
【図６】図６は、本発明の他の実施形態の折り畳み式ラックの全体構成を示す斜視図である。
【図７】図７は、図６に示した折り畳み式ラックの差込枠の正面図である。
【符号の説明】
【００４８】
１…折り畳み式ラック
１０…ラック本体
１１０…パレット部
１１１…リフト用孔
１２０…コーナー金具
１２１…レール
１３０…段積み金具
１４０…床板
１５０…固定枠
１５１…突起部
１５３，１５４…支柱
１５５…第１の差込枠受け部
１５６…第２の差込枠受け部
１５９…面部材
２０…差込枠
２０１…連結支柱
２０３…第１の差込部
２０５…第２の差込部
２１０…面部材
２１１…支柱
【図１】
2010105691.tif 000003
【図２】
2010105691.tif 000004
【図３】
2010105691.tif 000005
【図４】
2010105691.tif 000006
【図５】
2010105691.tif 000007
【図６】
2010105691.tif 000008
【図７】
2010105691.tif 000009